(57)【要約】【課題】運転者の所望のタイミングで省エネ運転に対する評価を出力させることができる省エネ評価装置及び省エネ評価方法を提供すること。【解決手段】車両の走行状況を監視して、省エネルギーに有効な運転操作に誘導するアドバイスを出力する省エネ評価装置１００において、運転者が操作する操作スイッチ１５と、操作スイッチ１５の操作が検出されたことをトリガーに、走行状況に基づき省エネ運転の評価値を算出する評価値算出手段３３と、算出された評価値に対応したアドバイスを表示装置１６に表示するか又はスピーカ１７から出力するアドバイス出力手段３５と、を有することを特徴とする。【選択図】図１
2010175516.tif 000002
【特許請求の範囲】
【請求項１】
車両の走行状況を監視して、省エネルギーに有効な運転操作に誘導するアドバイスを出力する省エネ評価装置において、
運転者が操作する操作スイッチと、
前記操作スイッチの操作が検出されたことをトリガーに、前記走行状況に基づき省エネ運転の評価値を算出する評価値算出手段と、
算出された前記評価値に対応したアドバイスを表示装置に表示するか又はスピーカから出力するアドバイス出力手段と、
を有することを特徴とする省エネ評価装置。
【請求項２】
前記走行状況を検出する時間が予め定められており、
前記評価値算出手段は、
前記操作スイッチの操作が検出された時から前記時間までさかのぼって、監視されていた前記走行状況に基づき省エネ運転の前記評価値を算出する、
ことを特徴とする請求項１記載の省エネ評価装置。
【請求項３】
前記走行状況の監視を開始する開始条件が予め定められており、
前記評価値算出手段は、
前記開始条件が成立してから前記操作スイッチの操作が検出された時までの前記走行状況に基づき省エネ運転の前記評価値を算出する、
ことを特徴とする請求項１記載の省エネ評価装置。
【請求項４】
前記操作スイッチは、機械スイッチであり、
前記操作スイッチの操作が１回検出されるだけで、前記評価値算出手段は前記走行状況に基づき省エネ運転の評価値を算出すると共に、
前記アドバイス出力手段は、算出された前記評価値に対応したアドバイスを表示装置に表示するか又はスピーカから出力する出力する、
ことを特徴とする請求項１〜３いずれか１項記載の省エネ評価装置。
【請求項５】
前記操作スイッチは、タッチパネルと一体の表示装置に表示された道路地図に重畳して表示された操作メニューであり、
該操作メニューが１回タッチされるだけで、前記評価値算出手段は前記走行状況に基づき省エネ運転の評価値を算出すると共に、
前記アドバイス出力手段は、算出された前記評価値に対応したアドバイスを表示装置に表示するか又はスピーカから出力する出力する、
ことを特徴とする請求項１〜３いずれか１項記載の省エネ評価装置。
【請求項６】
前記開始条件は、イグニッションのオン又は自車両が走行を開始したこと、
であることを特徴とする請求項３記載の省エネ評価装置。
【請求項７】
前記開始条件は、前記操作スイッチが操作されたこと、
であることを特徴とする請求項３記載の省エネ評価装置。
【請求項８】
前記アドバイス出力手段は、自車両が停止したことが検出されるとアドバイスを表示装置に表示する、
ことを特徴とする請求項１記載の省エネ評価装置。
【請求項９】
前方の車両が発進したこと又は発進することを予測する前方状況検出手段を有し、
前記アドバイス出力手段がアドバイスを表示装置に表示し、前記前方状況検出手段が前方の車両が発進したこと又は発進することを予測した場合、
前記アドバイス出力部は、アドバイスの表示を中断し、前方の注視を運転者に促すメッセージを表示装置に表示する、
ことを特徴とする請求項７記載の省エネ評価装置。
【請求項１０】
前記アドバイス出力部は、右から左又は左から右にアドバイスが徐々に移動するように表示する、
ことを特徴とする請求項９記載の省エネ評価装置。
【請求項１１】
前記アドバイス出力部は、自車両が停止した場合に表示するアドバイスの文字の大きさを、走行中に表示するより大きく表示する、
ことを特徴とする請求項１０記載の省エネ評価装置。
【請求項１２】
車両の走行状況を監視して、省エネルギーに有効な運転操作に誘導するアドバイスを出力する省エネ評価方法において、
運転者が操作する操作スイッチと、
開始条件検出部が、前記操作スイッチの操作を検出するステップと、
前記操作スイッチの操作が検出されたことをトリガーに、評価値算出手段が、前記走行状況に基づき省エネ運転の評価値を算出するステップと、
アドバイス出力手段が、算出された前記評価値に対応したアドバイスを表示装置に表示するか又はスピーカから出力するステップと、
を有することを特徴とする省エネ評価方法。
【発明の詳細な説明】
【技術分野】
【０００１】
本発明は、運転者の省エネ運転を評価する省エネ評価装置に関し、特に、省エネ運転に誘導するアドバイスを出力する省エネ評価装置及び省エネ評価方法に関する。
【背景技術】
【０００２】
車両が消費するエネルギーを低減すべきであるとする社会的要請はますます高まっており、車両の運転者も省エネ運転を心がけるようになっている。一般的な省エネ運転として、例えば急加速を控える、車速を低めに抑える、アイドリング中にはエンジン停止する等が知られている。しかし、運転者が省エネ運転をした場合、実際に省エネに効果があったか否か、効果があった場合どの程度の効果があったかを運転者が知ることができることが好ましい。そこで、アイドリングストップなどの回数に基づき、運転者の運転が省エネにどの程度効果があったかを評価する技術が考えられている（例えば、特許文献１参照。）。特許文献１には、所定距離を走行する毎に、評価に対応したメッセージを表示する省エネ評価装置が開示されている。このように、省エネ運転が省エネにどの程度の効果があったかを運転者に通知することで、運転者がさらに省エネ運転を心がけたり、今後は省エネを心がけるようなインセンティブとすることができる。
【０００３】
また、従来から車両には、瞬間燃費を表示したり、エンジン始動から停止までの燃費を算出して表示するなど、予め決められた期間の燃費を表示する車載装置が搭載されていることがある。
【先行技術文献】
【特許文献】
【０００４】
【特許文献１】特開２００５−１６４４３号公報
【発明の概要】
【発明が解決しようとする課題】
【０００５】
しかしながら、特許文献１記載の省エネ運転評価装置は、所定距離を走行する毎に省エネ運転の評価を運転者に通知するため、運転者の所望するタイミングで評価を通知できないという問題がある。また、エンジンの停止後など、予め定められたタイミングでのみ省エネ運転の評価を運転者に通知する態様であったとしても、そのタイミングが運転者の所望するタイミングとは言えないという問題がある。
【０００６】
これに対し、瞬間燃費であれば定常的に表示されうるが、瞬間燃費は変動が大きいし、また、運転者は数値としての燃費をみただけでは、基準となる燃費が分からないので、省エネ運転が省エネに与えた効果を把握することが困難である。
【０００７】
また、車載装置を操作して、所望のタイミングでメッセージを表示することも考えられるが、走行中の運転者は時間のかかる操作はできず、また、信号待ちなどで操作方法を思い出しながらメッセージを表示させることも困難であった。
【０００８】
本発明は、上記課題に鑑み、運転者の所望のタイミングで省エネ運転に対する評価を出力させることができる省エネ評価装置及び省エネ評価方法を提供することを目的とする。
【課題を解決するための手段】
【０００９】
上記課題に鑑み、本発明は、車両の走行状況を監視して、省エネルギーに有効な運転操作に誘導するアドバイスを出力する省エネ評価装置において、運転者が操作する操作スイッチと、操作スイッチの操作が検出されたことをトリガーに、走行状況に基づき省エネ運転の評価値を算出する評価値算出手段と、算出された評価値に対応したアドバイスを表示装置に表示するか又はスピーカから出力するアドバイス出力手段と、を有することを特徴とする。
【発明の効果】
【００１０】
運転者の所望のタイミングで省エネ運転に対する評価を出力させることができる省エネ評価装置及び省エネ評価方法を提供することができる。
【図面の簡単な説明】
【００１１】
【図１】省エネ評価装置の概略を説明する図の一例である。
【図２】省エネ評価装置のハードウェア構成図の一例である。
【図３】エコ評価ＳＷの実装例を示す図である。
【図４】省エネ評価装置が有する機能ブロック図の一例である。
【図５】走行状況の監視結果の一例を示す図である。
【図６】アドバイスデータの一例を示す図である。
【図７】省エネ評価装置がエコ運転度に応じたアドバイスを出力する手順を示すフローチャート図の一例である。
【図８】表示装置の画面上を移動するアドバイスの一例を示す図である。
【図９】省エネ評価装置がエコ運転度に応じたアドバイスを出力する手順を示すフローチャート図の一例である。
【発明を実施するための形態】
【００１２】
以下、本発明を実施するための形態について図面を参照しながら実施例を挙げて説明する。
【実施例１】
【００１３】
図１は、本実施例の省エネ評価装置１００の概略を説明する図の一例である。予め乗員が設定した、エコ運転度を計算するため走行状況の監視を開始する条件（以下、開始条件という）が成立すると、車両に搭載された省エネ評価装置１００はエコ運転度の計算に必要な、車両の走行状況の監視を開始する。エコ運転度の算出については後述するが、エコ運転度は省エネ運転の程度を評価する指標である。
【００１４】
図１では、開始条件をイグニッション・オンとした。そして、省エネ評価装置１００は、運転者又は乗員（以下、単に運転者という）の所望のタイミングで、省エネ運転の評価を出力する。所望のタイミングは、例えばエコ評価ＳＷ（スイッチ）１５を乗員が押下したタイミングである。エコ評価ＳＷ１５は、後述するように、エコ運転度が評価可能な状況ではいつでも運転者が押下可能となっている。
【００１５】
省エネ評価装置１００は、エコ評価ＳＷ１５の押下の検出をトリガーに、それまで監視していた走行状況に基づきエコ運転度を計算する。そして、省エネ評価装置１００はエコ運転度に対応したアドバイスを表示又は音声出力の少なくとも一方で運転者に提供する。このアドバイスが省エネ運転の評価である。運転者は、何度でもエコ評価ＳＷ１５を押下できるので、所望のタイミングで省エネ運転の評価を知ることができる。こうすることで、例えば運転者が省エネ運転を心がけて運転して、その省エネ運転がどのような評価を受けたかをすぐに知りたい場合に、知りたいタイミングで省エネ運転の評価を知ることができる。
【００１６】
〔ハードウェア構成の一例〕
図２は、省エネ評価装置１００のハードウェア構成図の一例を示す。省エネ評価装置１００は、所定のＥＣＵ（Electronic  Control  Unit）により制御される。車両には運転者に種々の情報を提供するナビゲーション装置が搭載されることが多いので、本実施例ではナビＥＣＵ２０により省エネ評価装置１００が制御されるものとした。ナビＥＣＵ２０には、ＣＡＮ（Controller  Area  Network）やＦｌｅｘｒａｙ等の車内ＬＡＮや専用線を介して、車速センサ１１、加速度センサ１２、ＧＰＳ受信機１３、地図ＤＢ１４、表示装置１６、スピーカ１７及びエコ評価ＳＷ１５が接続されている。後述するようにエコ評価ＳＷ１５は表示装置１６と一体の場合がある。
【００１７】
ナビＥＣＵ２０は、ＣＰＵ、ＲＯＭ、ＲＡＭ、ＥＥＰＲＯＭ、不揮発メモリ、ＡＳＩＣ（Application  Specific  Integrated  Circuit）、ＣＡＮ通信部及び入出力インターフェイス等を有するコンピュータを実体とする。例えば不揮発メモリには、エコ運転度に対応づけて、アドバイスの内容である複数のテキストデータ及び音声データ（以下、単にアドバイスデータという）が登録された、アドバイスＤＢ１８が実装されている。
【００１８】
車速センサ１１は、例えば車輪の回転速度にタイヤの外径を乗じて車速を検出するセンサである。加速度センサ１２は、例えばマイクロマシニングで形成された震動片が、加速度により移動することで変化する電極間の距離に基づき、車両に生じた加速度を検出するセンサである。加速度センサ１２は、好ましくは車両の前後方向、上下方向及び左右方向の３軸の加速度を検出できるが、省エネ評価装置１００は主に前後方向の加速度を利用する。ＧＰＳ受信機１３は、複数のＧＰＳ衛星を補足して各ＧＰＳ衛星から到達する電波の到達時間に基づき車両の位置（緯度・経度・標高）を決定する。また、地図ＤＢ１４は、例えばハードディスクやＳＳＤ（Solid State Drive)等の不揮発メモリで構成され、ノード（例えば、交差点や交差点から所定距離毎の位置）と、ノード間を連結するリンクとを互いに対応づけるテーブル型の道路地図情報を記憶している。また、地図ＤＢ１４には、地名等の各種のポイント情報が位置情報に対応づけて記憶されている。
【００１９】
表示装置１６は、液晶ディスプレイや有機ＥＬディスプレイなどであり、タッチパネルを一体に有する。さらにヘッドアップディスプレイを搭載していてもよい。表示装置１６には、道路地図、操作メニュー、テレビ放送、ＤＶＤの再生映像、車載カメラで撮影した映像等、が表示される。操作メニューは階層型になっており、例えば、起動時にはナビゲーション装置、テレビ、ラジオ、ＤＶＤ、車載カメラの表示、等から１つの機能を選択する選択画面が表示される。いずれか１つの機能を乗員が選択すると（タッチすると）、例えば道路地図等が表示されると共にその機能で提供される操作メニューが重畳して更に表示される。操作メニューを更に選択すると、下層の操作メニューが表示される。スピーカ１７は、目的地までの案内ルートに応じて例えば交差点の手前で右左折等を指示する音声案内を出力するため、及び、アドバイスを音声で出力するために用いられる。
【００２０】
〔エコ評価ＳＷ１５〕
エコ評価ＳＷ１５について説明する。エコ評価ＳＷ１５は、運転席の周囲に設けられた機械スイッチ、又は、所望のタイミングで表示装置１６のタッチパネルから選択可能な操作メニューとして実装される。
【００２１】
図３（ａ）は機械スイッチとして実装されたエコ評価ＳＷ１５の一例を、図３（ｂ）は操作メニューとして実装されたエコ評価ＳＷ１５の一例をそれぞれ示す。図３（ａ）はステアリング２１の概略正面図の一例であり、エコ評価ＳＷ１５はステアリングスイッチ２２の一形態として配置されている。ステアリングスイッチ２２は、スポークの根元付近に左右に分かれて配置されている。運転者から見て左上のスイッチ群２２ａは、例えばＡＶ機能を操作するために用いられる。運転者から見て左下のスイッチ群２２ｄは、例えばエアコンを操作するために用いられる。運転者から見て右上のスイッチ群２２ｂは、例えば携帯電話を用いた通話等の操作のために用いられる。運転者から見て右下のスイッチ群２２ｃは、例えば特殊な車載装置（例えば、車載カメラ、クリアランスソナー等）を操作するために用いられる。エコ評価ＳＷ１５は例えば左下のスイッチ群２２ｄに配置される。なお、エコ評価ＳＷ１５は、例えばインスツルメントパネルやセンタークラスタ、表示装置１６の周囲等に配置されていてもよい。
【００２２】
このようにエコ評価ＳＷ１５を機械スイッチとして設けることで、運転者の所望のタイミングで運転者が省エネ運転の評価を知ることができる。なお、エコ評価ＳＷ１５は、モーメンタリスイッチ（運転者が押下することで電気的な接触が得られた後、運転者がエコ評価ＳＷ１５を離すと初期状態に戻る）であることが好ましい。例えば、バネで初期状態に付勢するスイッチ、メンブレンスイッチ等が知られている。エコ評価ＳＷ１５の押下によりナビＥＣＵ２０には割り込みが発生し、省エネ評価装置１００はエコ運転度を計算する。
【００２３】
また、図３（ｂ）は表示装置１６に表示された道路地図、テレビ映像若しくはDVD映像、又は、車外の撮影映像と共に表示されたエコ評価ＳＷ１５の一例である。上記のように、ナビゲーション装置が複数の機能を搭載していると、表示装置１６には機能毎に種々の画面が表示されるが、エコ評価ＳＷ１５は、走行中や停止中に定常的に表示される画面に、操作メニューの１つとして表示される。したがって、運転者は操作メニューの階層を辿ることなく、エコ評価ＳＷ１５を押下することができる。すなわち、運転者は各種の画面からワンタッチで省エネ運転の評価を知ることができる。
【００２４】
なお、運転者が、テレビ映像やＤＶＤ映像、又は、車外の撮影映像でエコ評価ＳＷ１５が表示されると煩わしいと感じる場合、運転者はエコ評価ＳＷ１５を表示しないように省エネ評価装置１００の設定を変更することができる。
【００２５】
また、機械スイッチや操作メニューでなく、音声認識装置をエコ評価ＳＷ１５の実体としてもよい。この場合、例えば運転者がマイクを操作しながら「エコ評価」と発声すると、音声認識装置が音声の内容を認識して省エネ運転の評価を省エネ評価装置１００に要求する。エコ評価ＳＷ１５が機械スイッチや操作メニューである場合と同様に、省エネ評価装置１００はエコ運転度を計算することができる。
【００２６】
〔省エネ評価装置１００の機能について〕
図４は、省エネ評価装置１００が有する機能ブロック図の一例である。図４の各機能は、ＣＰＵがＥＥＰＲＯＭに記憶されたプログラムを実行するかＡＳＩＣ等の演算回路により実現される。
【００２７】
〔開始条件〕
開始条件検出部３１は、走行状況の監視を開始する開始条件が成立したことを検出する。上記のとおり、開始条件は、運転者が省エネ評価装置１００に設定することができる。開始条件としては、例えば次のものがある。
（ａ）イグニッション・オン（電気自動車やハイブリッド車の場合はメインシステムがオンになること）
（ｂ）停止状態の車両が走行を開始したこと
（ｃ）エコ評価ＳＷ１５が押下されたこと
（ｄ）エコ評価ＳＷ１５が押下された時より所定時間（例えば、３０秒〜１時間程度）Ｔ前  
例えば、（ａ）を開始条件とする場合、開始条件検出部３１は、イグニッション・オンで信号が入力するナビＥＣＵの端子によりイグニッション・オンを検出し、監視開始要求を監視部３２に出力する。こうすることで、運転者が車両に乗車した後、常に、エコ運転度の計算が可能となる。
【００２８】
また、（ｂ）を開始条件とする場合、開始条件検出部３１は、車速センサ１１が検出した車速が所定値（例えば、１０〜２０ｋｍ／ｈ）になると、監視開始要求を監視部３２に出力する。こうすることで、省エネ評価装置１００は、例えば信号停止の度にそれまで監視していた走行状況の情報を破棄して、エコ運転度を新しく計算することができる。この場合、省エネ評価装置１００は、信号停止から次の信号停止毎に、エコ評価ＳＷ１５が押下されなくてもエコ運転度を計算し、計算したエコ運転度を記憶しておいてもよい。すなわち、省エネ評価装置１００は自動的にエコ運転度を記録することができる。
【００２９】
また（ｃ）を条件とする場合、開始条件検出部３１は、エコ評価ＳＷ１５が押下されたことを検出し、監視開始要求を監視部３２に出力する。こうすることで、運転者は、例えば省エネ運転を集中して心がける場合や、渋滞中など燃費を気に掛ける状況等、省エネ運転の評価を知りたい場合だけ、省エネ評価装置１００に走行状況を監視させることができる。
【００３０】
（ｄ）の開始条件は、開始条件の指定とエコ運転度の計算を、１回のエコ評価ＳＷ１５の押下で兼用することを意味する。すなわち、省エネ評価装置１００は、走行状況を常に監視しておき（所定時間Ｔよりも過去の走行状況の情報は破棄してよい）、エコ評価ＳＷ１５の押下が検出されると、直前の所定時間Ｔの走行状況からエコ運転度を算出する。こうすることで、運転者は、省エネ運転の評価を知りたいタイミングで、常に所定時間Ｔにおける省エネ運転の評価を知ることができる。例えば、（ｃ）の開始条件と比較すると、（ｃ）の開始条件ではエコ運転度の計算のため、運転者が再度エコ評価ＳＷ１５を押下することが必要となるのに対し、（ｄ）の開始条件ではエコ評価ＳＷ１５を再度押下する必要がない。
【００３１】
なお、監視部は終了条件が成立すると走行状況の監視を終了する。終了条件は、開始条件が成立可能な状態、すなわち開始条件の成立まで省エネ評価装置１００が待機している状態になることなので、開始条件とは反対の条件である。例えば、開始条件が（ａ）の場合の終了条件は、イグニッション・オフが検出されることであり、開始条件が（ｂ）の場合の終了条件は、車両の停止が検出されることであり、開始条件が（ｃ）の場合の終了条件は、エコ評価ＳＷ１５の再押下が検出されること、である。なお、開始条件が（ｄ）の場合は1回のエコ評価ＳＷ１５の押下に終了条件も含まれることになる。
【００３２】
〔開始される走行状況〕
監視部３２は、走行状況を監視する。監視とは、走行状況に関する情報を検出すること及び適当な期間の情報を記憶することをいう。監視される走行状況は、エネルギー消費への影響が大きい走行状況である。図５（ａ）は、走行状況の監視結果の一例を示す図である。図５（ａ）では車速と加速度の散布図が表示されている。この散布図は、監視部が例えば数秒ごとに車速と加速度をサンプリングしてその組を１つのデータとしてプロットしたものである。よく知られているように、急な加速や過度に大きい車速はエネルギー消費量が大きくなり、省エネ上好ましくない。したがって、図５のように車速と加速度の組を記憶しておき、解析することで運転者の省エネ運転がどの程度の省エネに効果があったかを評価することができる。
【００３３】
なお、本実施例では車速と加速度から走行状況を監視するが、監視する走行状況はエネルギー消費への影響が大きい走行状況であればよい。例えば、アイドリングストップした回数、空ぶかしした回数、急激なアクセル踏み込みの回数等を監視してもよい。
【００３４】
〔エコ運転度〕
図４に戻り、エコ運転度計算部３３はエコ運転度を算出する。これまで説明したように、エコ運転度を計算するタイミングは、運転者によりエコ評価ＳＷ１５が押下されたタイミングである。エコ運転度計算部３３は、エコ評価ＳＷ１５の押下が検出されたことをトリガーにエコ運転度を計算する。図５（ａ）のような散布図が得られた場合、車速が大きい領域のプロット点、加速度が大きい領域のプロット点は、省エネ上、好ましくない走行状況であったことを意味する。このような考え方に従い、エコ運転度計算部３３は、散布図をエコ領域と非エコ領域に区分する。図５（ｂ）はエコ領域と非エコ領域に区分された散布図の一例である。
【００３５】
エコ運転度計算部３３は、開始条件が検出されてからエコ評価ＳＷ１５の押下が検出されるまでのｎ〔秒〕のうち、車両がエコ領域で走行した時間〔秒〕の割合から、エコ運転度を計算する。
エコ運転度＝車両がエコ領域で走行した時間〔秒〕／ｎ〔秒〕  …（１）
なお、このエコ運転度は、散布図の全プロット数に対する、エコ領域に含まれるプロット数の比と等しい。
【００３６】
エコ運転度計算部３３は、計算したエコ運転度を記憶すると共に、アドバイス出力部に送出する。エコ運転度計算部３３が、例えばＧＰＳ受信機１３が検出した位置情報と日時情報に対応づけて記憶することで、エコ評価ＳＷ１５の押下が検出された直後だけでなく、例えば、運転者が車両を駐車した際、信号待ちの際等、いつでも運転者が過去のエコ運転度を把握することができる。
【００３７】
また、計算されたエコ運転度を車両に記憶するのでなく、省エネ評価装置１００がサーバにエコ運転度を送信してもよい。サーバに記憶しておけば、運転者が例えば自宅のＰＣ（パーソナルコンピュータ）にエコ運転度をダウンロードとすることができる。運転者はＰＣに過去のエコ運転度を位置情報や日時情報に対応づけて記録することができる。
【００３８】
なお、エコ運転度の計算には、走行状況を検出する時間が必要なので、短時間（例えば、２秒以内）に再度、エコ評価ＳＷ１５の押下が検出された場合、エコ運転度計算部３３はエコ運転度を計算しない。この場合、エコ運転度計算部３３は、直前に計算したエコ運転度をアドバイス出力部３５に出力する。
【００３９】
〔アドバイス〕
そして、アドバイス出力部３５は計算されたエコ運転度に基づき、アドバイスを表示装置１６に表示するか又はスピーカ１７から音声で出力する。図６（ａ）は、アドバイスＤＢ１８が記憶するアドバイスデータの一例を示す。アドバイスデータは、テキストデータの場合は例えば文字コードであり、音声データの場合は例えばＷａｖｅである。
【００４０】
図６（ａ）では、５段階のエコ運転度に対しそれぞれアドバイスデータが対応づけられている。例えば、エコ運転度が最もよい第１段階のアドバイスデータは「エコ運転度は最高です。この調子でがんばりましょう。」であり、次の第２段階のアドバイスデータは「最高よりややエコ運転度が低いです。さらに省エネ運転を心がけましょう」であり、次の第３段階のアドバイスデータは「エコ運転度は中程度です。省エネ運転するよう注意しましょう。」であり、次の第４段階のアドバイスデータは「エコ運転度は低めです。省エネ運転して下さい。」であり、最も低い第５段階のアドバイスデータは「エコ運転度はかなり低いです。改善されない場合、講習会等を受講しましょう。」である。運転者はこのようなアドバイスを読んだり、聴くことで、自分の省エネ運転がどのくらいのエコ運転度が把握することができる。
【００４１】
また、アドバイス出力部３５は、非エコ領域に着目して、運転者にアドバイスを提供してもよい。図６（ｂ）はＩ〜IIIの３つの領域に区分された非エコ領域、Ａ，Ｂの２つの領域に区分されたエコ領域をそれぞれ示す。Ｉ〜IIIの３つの非エコ領域は、いずれも省エネに好ましくない走行状況が検出されたことを示すが、走行状況としては異なるものである。例えば、領域Iの走行状況は発進時の加速度が大きすぎることを、領域IIの走行状況は車速も加速度も大きすぎることを、領域IIIの走行状況は高速時の加速度が大きすぎることを、それぞれ意味する。
【００４２】
この点を考慮して、アドバイス出力部３５は、領域I〜IIIのうち車速と加速度のプロット点が最も多い領域を検出し、領域I〜IIIそれぞれに適切なアドバイスを提供することができる。例えば、領域Iのプロット点が最も多い場合、アドバイス出力部３５は例えば「発進時の加速を丁寧にすることでエコ運転度が向上します」というアドバイスを出力する。また、領域IIのプロット点が最も多い場合、アドバイス出力部３５は例えば「車速も加速も大きいので、走行中の車速と加速を控えることでエコ運転度が向上します」というアドバイスを出力する。また、領域IIIのプロット点が最も多い場合、アドバイス出力部３５は例えば「追い越し時の加速を丁寧にすることでエコ運転度が向上します」というアドバイスを出力する。
【００４３】
また、アドバイス出力部３５は、エコ領域に着目して、運転者にアドバイスを提供してもよい。図６（ｂ）のＡ，Ｂのエコ領域は、いずれも省エネに好ましい走行状況が検出されたことを示すが、走行状況としては異なるものである。例えば、領域Ａの走行状況は、発進時の加速度が丁寧であることを、領域Ｂの走行状況は高速走行時の加速が丁寧であることを、それぞれ意味する。
【００４４】
この点を考慮して、アドバイス出力部３５は、領域Ａ、Ｂのうち車速と加速度のプロット点が最も多い方の領域を検出し、領域Ａ，Ｂそれぞれに適切なアドバイスを提供することができる。例えば、領域Ａのプロット点の方が多い場合、アドバイス出力部３５は例えば「発進時の加速が丁寧です」というアドバイスを出力する。また、領域Ｂのプロット点の方が多い場合、アドバイス出力部３５は例えば「高速走行時の追い越しが丁寧です」というアドバイスを出力する。
【００４５】
図６（ａ）のアドバイスに加え、非エコ領域に着目したアドバイスとエコ領域に着目したアドバイスをそれぞれ出力することで、運転者は全体的なエコ運転度、省エネ運転に好ましい運転操作及び好ましくない運転操作をそれぞれ把握することができる。したがって、運転者は省エネ運転の評価と、省エネ運転において改善すべき点及び優れた点を知ることができる。
【００４６】
〔アドバイスの出力態様〕
アドバイスを出力する出力態様は、表示のみ、音声のみ、表示と音声の両方、の３つがある。この３つの出力態様は、例えば運転者が省エネ評価装置１００に設定できるようになっている。
【００４７】
・表示のみ
例えば、音楽、ラジオの音声、テレビの音声等をアドバイスで邪魔されたくない運転者は、アドバイスを表示装置に表示するだけの出力態様を好むと考えられる。走行中を含め、単にアドバイスを表示装置１６に表示してもよいが、表示装置１６に表示する場合、運転者が表示装置１６に視線を移動するため、走行中に表示することは好ましくない。このため、アドバイス出力部３５は、車両が停止した時に、エコ運転度に対応したアドバイスを表示装置１６に表示する。アドバイス出力部３５は、車速センサ１１が検出する車速から車両が停止したことを検出すると、記憶しているエコ運転度に対応したアドバイスデータをアドバイスＤＢ１８から読み出す。そして、アドバイス出力部３５は表示装置１６にアドバイスを表示する。
【００４８】
また、停止後すぐに車両が発進する場合もあるが、この場合、運転者はアドバイスを把握したり吟味する時間が足りないと考えられる。そこで、アドバイス出力部３５は、アドバイスを出力後、短時間（例えば１〜３秒）で車両が走行を開始した場合、例外的に、スピーカ１７からもアドバイスを出力する。アドバイス出力部３５は、車両が走行を開始したことを車速センサ１１が検出する車速から検出する。こうすることで、運転者がアドバイスを把握する時間が十分あれば、アドバイス出力部３５はアドバイスを表示装置１６に表示するだけなので、運転者は音楽等を楽しんだままアドバイスを把握できる。一方、停止時間が短い場合は、アドバイス出力部３５はスピーカ１７からもアドバイスを出力するので、運転者はアドバイスを把握することができる。
【００４９】
また、運転者が表示装置１６のアドバイスを読んでいる間に、前方の車両が発進する場合がある。運転者が前方の車両の発進に気付かずにアドバイスを読んでいると、自車両の発進が遅れるおそれが生じる。そこで、図４の前方状況検出部３４は、自車両の前方の状況、特に自車両が発進する必要がある状況を検出し、発進検出情報をアドバイス出力部に送出する。前方状況検出部は、例えば、ミリ波レーダが検出する車間距離が増大したこと、又は、前方を撮影するカメラの画像における前方車両が小さくなったこと、等から、前方の車両が発進したことを検出する。また、前方状況検出部３４は、例えば信号機等との路車間通信により前方の信号が赤から青に変わったことを検出し、また、前方車両との車車間通信等により前方の車両が発進したことを検出し、前方の車両が発進することを予測する。
【００５０】
アドバイス出力部３５は、発進検出情報を取得すると、アドバイスの表示を終了して、前方の注視を促すメッセージを表示する。このメッセージは、例えば「前方の車両が発進しました。前方を確認後、発進して下さい」。「前方の車両が発進します。前方を注視して下さい。」等である。こうすることで、運転者がアドバイスに注視していても、発進が遅れることを防止できる。
【００５１】
さらに、運転者の顔向きを検出し、運転者の顔向きが表示装置１６に向いている場合にのみ、このようなメッセージを表示してもよい。運転者の顔向きは、例えば運転者の顔を撮影するカメラが撮影した画像を解析することで検出できる。
【００５２】
・音声のみ
アドバイスを音楽等よりも優先的に知ることを好み、また、視線を移動して表示装置１６のアドバイスを読むことを好まない運転者は、アドバイスをスピーカ１７から出力するだけの出力態様を好むと考えられる。この場合、アドバイス出力部３５は、車両が走行中であっても、エコ評価ＳＷ１５が押下されエコ運転度の計算が終了すれば、アドバイスをスピーカ１７から出力する。
【００５３】
また、音楽等をスピーカ１７から出力している場合、運転者がアドバイスを聞き取れないおそれがあるので、アドバイス出力部３５は、音楽等の音量を低減又は消音し、アドバイスをスピーカ１７から出力する。こうすることで、運転者は確実にアドバイスを聴くことができる。なお、この音量の自動的な調整は、アドバイスを表示装置１６に表示のみする場合に、例外的にスピーカ１７からもアドバイスを出力する際にも適用される。
【００５４】
・表示と音声の両方
より確実にアドバイスを知ることを好む運転者は、アドバイスをスピーカ１７から出力すると共に表示装置１６に表示する出力態様を好むと考えられる。この場合、アドバイス出力部３５は、運転者がエコ評価ＳＷ１５を押下してエコ運転度の計算が終了すれば、アドバイスをスピーカ１７から出力する。アドバイス出力部３５は、音楽等の音量を低減又は消音し、アドバイスをスピーカ１７から出力する。そして、音声の出力と同時期に、アドバイス出力部３５は表示装置１６にアドバイスを表示する。
【００５５】
なお、スピーカ１７からの出力と表示装置１６への表示を同時期に出力するのでなく、アドバイス出力部３５は車両の停止時に、アドバイスを表示装置１６に表示してもよい。この場合、停止時間が短くても、すでにスピーカ１７からアドバイスが出力されているので、アドバイス出力部３５はアドバイスをスピーカ１７から出力しない。
【００５６】
一方、停止中に、アドバイスを表示装置１６に表示した場合、前方状況検出部３４が発進検出情報をアドバイス出力部３５に送出すると、アドバイス出力部３５はアドバイスの表示を終了して、前方の注視を促すメッセージを表示する。
【００５７】
〔動作手順〕
図７（ａ）は、省エネ評価装置１００がエコ運転度に応じたアドバイスを出力する手順を示すフローチャート図の一例である。図７（ａ）のフローチャート図は、上記の開始条件のうち（ａ）〜（ｃ）に対応したものである。図７（ａ）のフローチャート図は、例えばイグニッションがオンになるとスタートする。
【００５８】
まず、開始条件検出部３１は、エコ運転度を計算するため走行状況の監視を開始する開始条件が成立したか否かを判定する（Ｓ１０）。すなわち、開始条件検出部３１は、イグニッション・オン、車両の走行開始、又は、エコ評価ＳＷ１５の押下のいずれかを検出する。開始条件が成立しない場合（Ｓ１０のＮｏ）、走行状況を監視する必要はないので、開始条件検出部３１はステップＳ１０の判定を繰り返す。
【００５９】
開始条件が成立した場合（Ｓ１０のＹｅｓ）、エコ運転度を計算するため開始条件検出部３１は監視部３２に監視開始要求を送出する。これにより監視部３２は走行状況の監視を開始し、終了条件が成立するまで走行状況の監視を継続する（Ｓ２０）。
【００６０】
監視部３２が走行状況を監視している状態で、エコ運転度計算部３３は、エコ評価ＳＷ１５の押下が検出されたか否かを判定する（Ｓ３０）。エコ評価ＳＷ１５が押下されない場合（Ｓ３０のＮｏ）、運転者がエコ運転度を知りたいタイミングではないので、処理はステップＳ６０に進む。
【００６１】
エコ評価ＳＷ１５の押下が検出された場合（Ｓ３０のＹｅｓ）、運転者がエコ運転度を知りたいタイミングということになるので、エコ運転度計算部３３はエコ運転度を計算する（Ｓ４０）。そして、アドバイス出力部３５はエコ運転度に対応づけられたアドバイスデータをアドバイスＤＢ１８から読み出して出力する（Ｓ５０）。出力態様は、運転者の設定に従えばよい。
【００６２】
ついで、開始条件検出部３１は、終了条件が成立したか否かを判定する（Ｓ６０）。イグニッション・オンが開始条件の場合、イグニッション・オフが終了条件であり、車両の走行開始が開始条件であれば車両の停止が終了条件であり、エコ評価ＳＷ１５の押下が開始条件であればエコ評価ＳＷ１５の再押下が終了条件である。
【００６３】
終了条件が成立しない場合（Ｓ６０のＮｏ）、処理はステップＳ２０に戻り、監視部３２は走行状況の監視を継続する（Ｓ２０）。この場合、運転者は何度でもエコ評価ＳＷ１５が押下でき、所望のタイミングで省エネ運転の評価を知ることができる。
【００６４】
終了条件が成立した場合（Ｓ６０のＹｅｓ）、走行状況を監視する必要がなくなったので、処理はステップＳ１０に戻り開始条件検出部３１は、開始条件が成立したか否かを判定する（Ｓ１０）。この場合、新たに走行状況の監視を開始させ、省エネ運転がどのような評価を受けたかを知ることができる。
【００６５】
図７（ｂ）のフローチャート図は、上記の開始条件のうち（ｄ）に対応したものである。開始条件の（ｄ）は、上記のとおり、エコ評価ＳＷ１５の押下により抽出する走行状況の情報を自動的に特定される。このため、図７（ａ）のステップＳ１０の判定は不要になる。図７（ｂ）の処理は例えばイグニッションがオンになるとスタートする。
【００６６】
イグニッションがオンになると、監視部３２は定常的に走行状況を監視する（Ｓ２０）。そして、監視した走行状況の情報を古いものから上書きして少なくとも最新の所定時間Ｔ分だけ残るようにして記録する。
【００６７】
監視部３２が走行状況を監視している状態で、エコ運転度計算部３３は、エコ評価ＳＷ１５の押下が検出されたか否かを判定する（Ｓ３０）。エコ評価ＳＷ１５の押下が検出されない場合（Ｓ３０のＮｏ）、運転者がエコ運転度を知りたいタイミングではないので、ステップＳ２０に戻る。
【００６８】
エコ評価ＳＷ１５の押下が検出された場合（Ｓ３０のＹｅｓ）、運転者がエコ運転度を知りたいタイミングということになるので、エコ運転度計算部３３はエコ評価ＳＷ１５の押下が検出される前の所定時間Ｔの走行状況に基づきエコ運転度を計算する（Ｓ４１）。そして、アドバイス出力部３５はエコ運転度に対応づけられたアドバイスデータをアドバイスＤＢ１８から読み出して出力する（Ｓ５０）。出力態様は、運転者の設定に従えばよい。以降の処理はステップＳ２０からの繰り返しである。
【００６９】
図7（ｂ）のような処理により、（ａ）〜（ｃ）を開始条件とする場合と異なり、運転者は一定の所定時間Ｔ毎の省エネ運転の評価を知ることができるので、エコ運転度がよくなったか悪くなったかの比較がしやすくなる。なお、エコ運転度はナビＥＣＵ２０やサーバに記憶されているので、運転者は過去のエコ運転度を確認することもできる。
【００７０】
以上説明したように、本実施例の省エネ評価装置１００は、運転者の所望のタイミングで省エネ運転の評価を知ることができる。なお、アドバイスだけでなく、エコ運転度の数値も運転者に提供してもよい。
【００７１】
また、本実施例では、開始条件（ａ）〜（ｄ）に応じていずれか１つのエコ運転度を出力するものとして説明したが、これらを全て提供してもよい。この場合、例えば、エコ評価ＳＷ１５を押下する度に、省エネ評価装置１００は開始条件（ａ）〜（ｄ）のそれぞれに応じて計算されたエコ運転度に対応するアドバイスを順番に出力する。こうすることで、運転者は開始条件が異なる省エネ運転のそれぞれの評価、すなわち詳細な評価を知ることができる。
【実施例２】
【００７２】
実施例１では、省エネ評価装置１００が表示装置１６にアドバイスを表示する際、車両が停止していることが好ましいことを説明した。本実施例では、車両が停止している際にアドバイスを表示装置１６に表示する省エネ評価装置１００に詳細について説明する。
【００７３】
本実施例の省エネ評価装置１００は、アドバイスを表示装置１６に表示する際、走行中に表示するよりもアドバイスの文字を大きくする。また、アドバイスの文字を、右から左、又は、左から右に徐々に移動させて表示する。すなわち、アドバイスを構成する文字列の先頭を、一定時間毎にずらしていくことで、右から左又は左から右に流れるようにアドバイスを表示する。
【００７４】
図８は表示装置１６の画面上を移動するアドバイスの一例を示す。図８では、「エコ運転度は最高です。この調子でがんばりましょう。」の文字列が右から左に移動している。こうすることで運転者は表示装置１６にアドバイスが表示されていることに容易に気付くことができ、表示装置１６のどこにアドバイスが表示されているかを一目で把握することができる。
【００７５】
アドバイスの表示を開始するタイミングは、上記のように、車両が停止したタイミングである。アドバイス出力部３５は、車速センサ１１が検出する車速から車両が停止したことを検出すると、記憶しているエコ運転度に対応したアドバイスデータをアドバイスＤＢ１８から読み出す。そして、アドバイス出力部３５は、走行中に表示する場合よりも大きな文字で表示装置１６にアドバイスの表示を開始する。
【００７６】
そして、前方状況検出部３４が、前方の車両が発進したことを検出した場合、又は、発進することを予測した場合、アドバイス出力部３５はアドバイスの表示を終了して、前方の注視を促すメッセージを表示する。こうすることで、移動するアドバイスの文字に注意を向けている運転者が、前方を注視することができる。
【００７７】
図９は、省エネ評価装置１００がエコ運転度に応じたアドバイスを出力する手順を示すフローチャート図の一例である。図９のフローチャート図は、上記の開始条件のうち（ａ）〜（ｃ）に対応したものであるが、開始条件（ｄ）の場合も表示装置１６にアドバイスを表示する場合の手順は同様である。
【００７８】
まず、開始条件検出部３１は、エコ運転度を計算するため走行状況の監視を開始する開始条件が成立したか否かを判定する（Ｓ１０）。すなわち、開始条件検出部３１は、イグニッション・オン、車両の走行開始、又は、エコ評価ＳＷ１５の押下のいずれかを検出する。開始条件が成立しない場合（Ｓ１０のＮｏ）、走行状況を監視する必要はないので、開始条件検出部３１はステップＳ１０の判定を繰り返す。
【００７９】
開始条件が成立した場合（Ｓ１０のＹｅｓ）、エコ運転度を計算するため開始条件検出部３１は監視部３２に監視開始要求を送出する。これにより監視部３２は走行状況の監視を開始し、終了条件が成立するまで走行状況の監視を継続する（Ｓ２０）。
【００８０】
監視部３２が走行状況を監視している状態で、エコ運転度計算部３３は、エコ評価ＳＷ１５の押下が検出されたか否かを判定する（Ｓ３０）。エコ評価ＳＷ１５が押下されない場合（Ｓ３０のＮｏ）、運転者がエコ運転度を知りたいタイミングではないので、処理はステップＳ６０に進む。
【００８１】
エコ評価ＳＷ１５の押下が検出された場合（Ｓ３０のＹｅｓ）、運転者がエコ運転度を知りたいタイミングということになるので、エコ運転度計算部３３はエコ運転度を計算する（Ｓ４０）。スピーカ１７からアドバイスを出力する設定になっている場合は、アドバイス出力部３５はエコ運転度に対応したアドバイスをスピーカ１７から出力する。なお、計算されたエコ運転度はいったんナビＥＣＵ２０に記憶される。
【００８２】
そして、アドバイス出力部３５は車両が停止したか否かを判定する（Ｓ４２）。車両が停止しない場合（Ｓ４２のＮｏ）、アドバイスを表示することができないので、アドバイス出力部３５はステップＳ４２の判定を繰り返す。
【００８３】
車両が停止した場合（Ｓ４２のＹｅｓ）、アドバイスを表示する条件が成立したので、アドバイス出力部３５は、エコ運転度に応じてアドバイスの表示を開始する（Ｓ４３）。アドバイス出力部３５がアドバイスを表示した状態で、前方状況検出部３４は前方の車両が発進したか否か、又は、発進することが予測されたか否かを判定する（Ｓ４４）。
【００８４】
前方の車両が発進せず、かつ、発進することも予測されない場合（Ｓ４４のＮｏ）、そのままアドバイスの表示を継続してよいので、アドバイス出力部３５はアドバイスの表示が終了したか否かを判定する（Ｓ４６）。アドバイスの表示が終了していない場合（Ｓ４６のＮｏ）、処理はステップＳ４４に戻り、アドバイス出力部３５は、前方の車両が発進したか否か、又は、発進することが予測されたか否かを判定する（Ｓ４４）。また、アドバイスの表示が終了した場合（Ｓ４６のＹｅｓ）、次に運転者がエコ評価ＳＷ１５を押下してもよいように、処理はステップＳ６０に進む。
【００８５】
一方、前方の車両が発進したか、又は、発進することも予測された場合（Ｓ４４のＹｅｓ）、そのままアドバイスの表示を継続することは適切でないの、アドバイス出力部３５はアドバイスの表示を中止し、前方を注視するよう促すメッセージを表示する（Ｓ４５）。こうすることで、運転者がアドバイスに注視していても、発進が遅れることを防止できる。
【００８６】
以上説明したように、本実施例の省エネ評価装置１００は、車両が停止している際にアドバイスを大きな文字で移動させながら表示装置１６に表示することで、エコ運転度に対するアドバイスを確実に運転者に知らせることができる。表示中に自車両が移動しなければならなくなったことを検出することで、自車両の発進が遅れることを防止できる。
【符号の説明】
【００８７】
１１    車速センサ
１２    加速度センサ
１５    エコ評価ＳＷ
１６    表示装置
１７    スピーカ
１８    アドバイスＤＢ
２１    ステアリング
２２    ステアリングスイッチ
１００  省エネ評価装置
【図１】
2010175516.tif 000003
【図２】
2010175516.tif 000004
【図３】
2010175516.tif 000005
【図４】
2010175516.tif 000006
【図６】
2010175516.tif 000007
【図７】
2010175516.tif 000008
【図８】
2010175516.tif 000009
【図９】
2010175516.tif 000010
【図５】
2010175516.tif 000011